(57)【特許請求の範囲】
【請求項１】
両端が浴槽と接続されて浴槽に滞留した湯水を循環させて追焚きするための追焚き管路と、一端が水道と接続されて水道から供給される水を加熱して他端から給湯するための給湯管路と、該追焚き管路を流れる湯水を加熱する追焚き熱交換器と、その一部が該追焚き熱交換器と重複して該給湯管路を流れる水を加熱する給湯熱交換器と、該追焚き熱交換器と該給湯熱交換器とを加熱する加熱手段と、該加熱手段の加熱量を調節する加熱量調節手段と、給湯と追焚きとを同時に実行するときに前記加熱手段が発生する熱量のうち前記給湯熱交換器による水の加熱と前記追焚き熱交換器による湯水の加熱とに実際に使用される熱量の割合である第１熱効率のデータと、給湯のみを単独で実行するときに前記加熱手段が発生する熱量のうち前記給湯熱交換器による水の加熱に実際に使用される熱量の割合である第２熱効率のデータとを記憶した熱効率データ記憶手段と、前記給湯管路から所定温度の湯が供給されるように前記加熱量調節手段により前記加熱手段の加熱量を制御し、追焚きと給湯とを同時に実行するときは前記第１熱効率のデータに基づいて前記加熱手段の加熱量を決定し、給湯のみを単独で実行するときには前記第２熱効率のデータに基づいて前記加熱手段の加熱量を決定する給湯制御手段とを備えた追焚き付き給湯器において、前記給湯管の前記給湯熱交換器により水が加熱される箇所の下流側と前記追焚き管路とを連通して、前記給湯熱交換器により加熱生成された湯を、前記給湯管路から前記追焚き熱交換器により加熱される側の前記追焚き管路を経由して前記浴槽に供給する第１湯張り経路と、前記給湯管路から前記追焚き熱交換器により加熱されない側の前記追焚き管路を経由して前記浴槽に供給する第２湯張り経路とを形成し、前記給湯制御手段は、前記第１湯張り経路と前記第２湯張り経路とを介して前記給湯管路から前記浴槽に湯を供給するときには、前記第１熱効率のデータに基づいて前記加熱手段の加熱量を決定することを特徴とする追焚き付き給湯器。
【請求項２】
両端が浴槽と接続されて浴槽に滞留した湯水を循環させて追焚きするための追焚き管路と、一端が水道と接続されて水道から供給される水を加熱して他端から給湯するための給湯管路と、該追焚き管路を流れる湯水を加熱する追焚き熱交換器と、その一部が該追焚き熱交換器と重複して該給湯管路を流れる水を加熱する給湯熱交換器と、該追焚き熱交換器と該給湯熱交換器とを加熱する加熱手段と、該加熱手段の加熱量を調節する加熱量調節手段と、給湯と追焚きとを同時に実行するときに前記加熱手段により与えられて前記給湯熱交換器による水の加熱と前記追焚き熱交換器による湯水の加熱とに使用される第１熱量のデータと、給湯のみを単独で実行するときに前記加熱手段により与えられて前記給湯熱交換器による水の加熱に使用される第２熱量のデータとを記憶した熱量データ記憶手段と、前記給湯管路から所定温度の湯が供給されるように前記加熱量調節手段により前記加熱手段の加熱量を制御し、追焚きと給湯とを同時に実行するときは前記第１熱量のデータに基づいて前記加熱手段の加熱量を決定し、給湯のみを単独で実行するときには前記第２熱量のデータに基づいて前記加熱手段の加熱量を決定する給湯制御手段とを備えた追焚き付き給湯器において、前記給湯管の前記給湯熱交換器により水が加熱される箇所の下流側と前記追焚き管路とを連通して、前記給湯熱交換器により加熱生成された湯を、前記給湯管路から前記追焚き熱交換器により加熱される側の前記追焚き管路を経由して前記浴槽に供給する第１湯張り経路と、前記給湯管路から前記追焚き熱交換器により加熱されない側の前記追焚き管路を経由して前記浴槽に供給する第２湯張り経路とを形成し、前記給湯制御手段は、前記第１湯張り経路と前記第２湯張り経路とを介して前記給湯管路から前記浴槽に湯を供給するときには、前記第１熱量のデータに基づいて前記加熱手段の加熱量を決定することを特徴とする追焚き付き給湯器。
【発明の詳細な説明】
【０００１】
【発明の属する技術分野】
本発明は、給湯用の熱交換器と追焚き用の熱交換器の一部が重複した、いわゆる一缶二水路式の追焚き付き給湯器における湯張り制御に関する。
【０００２】
【従来の技術】
近年、省スペースの目的から、給湯用熱交換器と追焚き用熱交換器の一部を重複させて設置したいわゆる一缶二水路式の追焚き付き給湯器が開発されている。かかる給湯器においては、一端が水道と接続されて水道から供給される水を給湯用熱交換器で加熱して他端から湯を供給する給湯管路と、両端が浴槽と連通されて、浴槽に滞留した湯水を前記追焚き熱交換器で加熱しながら循環させるための追焚き管路とが備えられている。
【０００３】
そして、給湯を行う場合には、給湯管路から供給される湯の温度が所定の目標温度となるように給湯熱交換器の加熱量が決定されてフィードフォワード制御される。また、給湯管路から供給される湯の温度を検出する給湯温度センサが設けられ、該給湯温度センサの検出温度が目標給湯温度と一致するように加熱量がフィードバック制御によりさらに微調整される。
【０００４】
かかる追焚き付き給湯器において、給湯管路と追焚き管路とを連通させる湯張り中継管を設けて、給湯管路から該湯張り中継管と追焚き管路とを介して浴槽に湯張りするようにした給湯器が提案されている。
【０００５】
このように追焚き管路を利用して湯張りを行う場合、追焚き管路の追焚き熱交換器により加熱される側を経由して浴槽に至る第１湯張り経路と、追焚き管路の追焚き熱交換器により加熱されない側を経由して浴槽に至る第２湯張り経路という２つの経路を介して、いわゆる両搬送により給湯管路から浴槽に湯を供給するのが一般的である。
【０００６】
しかし、両搬送によって湯張りを行うと、第２湯張り経路側では、給湯管路から供給される目標温度の湯がそのまま浴槽に供給されるが、第１湯張り経路側では、給湯管路から供給された目標温度の湯が追焚き熱交換器でさらに昇温されて浴槽に供給される。
【０００７】
そのため、通常の（湯張り以外の）給湯を行う場合のように、給湯管路から供給される湯の温度が目標温度となるようにフィードバック制御を行うと、浴槽に貯められる湯の温度が目標温度よりも高くなってしまうという不都合がある。そこで、従来は、湯張りを行うときにはフィードバック制御を禁止してフィードフォワード制御のみで給湯温度を制御し、さらに追焚き熱交換器での加熱分を見込んで給湯熱交換器による加熱量を減少させるようにしていた。
【０００８】
しかし、この場合には、加熱量をどの程度減少させるかを決定することが難しく、浴槽の湯張り温度を精度良く制御することが難しいという不都合があった。
【０００９】
【発明が解決しようとする課題】
本発明は、上記背景を鑑みてなされたものであり、一缶二水路式の追焚き付き給湯器において、簡易な処理により浴槽への湯張り温度を精度良く制御することができる給湯器を提供することを目的とする。
【００１０】
【課題を解決するための手段】
本発明は上記目的を達成するためになされたものであり、両端が浴槽と接続されて浴槽に滞留した湯水を循環させて追焚きするための追焚き管路と、一端が水道と接続されて水道から供給される水を加熱して他端から給湯するための給湯管路と、該追焚き管路を流れる湯水を加熱する追焚き熱交換器と、その一部が該追焚き熱交換器と重複して該給湯管路を流れる水を加熱する給湯熱交換器と、該追焚き熱交換器と該給湯熱交換器とを加熱する加熱手段と、該加熱手段の加熱量を調節する加熱量調節手段とを備えた給湯器に関する。
【００１１】
先ず、本発明の第１の態様は、給湯と追焚きとを同時に実行するときに前記加熱手段が発生する熱量のうち前記給湯熱交換器による水の加熱と前記追焚き熱交換器による湯水の加熱とに実際に使用される熱量の割合である第１熱効率のデータと、給湯のみを単独で実行するときに前記加熱手段が発生する熱量のうち前記給湯熱交換器による水の加熱に実際に使用される熱量の割合である第２熱効率のデータとを記憶した熱効率データ記憶手段と、前記給湯管路から所定温度の湯が供給されるように前記加熱量調節手段により前記加熱手段の加熱量を制御し、追焚きと給湯とを同時に実行するときは前記第１熱効率のデータに基づいて前記加熱手段の加熱量を決定し、給湯のみを単独で実行するときには前記第２熱効率のデータに基づいて前記加熱手段の加熱量を決定する給湯制御手段とを備えた追焚き付き給湯器の改良に関する。
【００１２】
そして、前記給湯管の前記給湯熱交換器により水が加熱される箇所の下流側と前記追焚き管路とを連通して、前記給湯熱交換器により加熱生成された湯を、前記給湯管路から前記追焚き熱交換器により加熱される側の前記追焚き管路を経由して前記浴槽に供給する第１湯張り経路と、前記給湯管路から前記追焚き熱交換器により加熱されない側の前記追焚き管路を経由して前記浴槽に供給する第２湯張り経路とを形成する湯張り連通管を備え、前記給湯制御手段は、前記第１湯張り経路と前記第２湯張り経路とを介して前記給湯管路から前記浴槽に湯を供給するときには、前記第１熱効率に基づいて前記加熱手段の加熱量を決定することを特徴とする。
【００１３】
かかる本発明において、前記熱効率記憶手段には、給湯と追焚きとを同時に実行する場合に応じた前記第１熱効率のデータと、給湯のみを単独で実行する場合に応じた前記第２熱効率のデータとが記憶されている。そして、前記給湯管路から前記第１湯張り経路と前記第２湯張り経路とを介して浴槽に湯を供給するという状況は、前記給湯熱交換器により前記給湯管路内を流れる水が加熱されると共に、前記追焚き熱交換器により前記追焚き管路内を流れる湯水が加熱されるという点で、給湯と追焚きとを同時に実行する状況と共通する。
【００１４】
そのため、前記給湯管路から前記第１湯張り経路と前記第２湯張り経路とを介して前記浴槽に湯を供給する場合に、前記第１熱効率データに基づいて前記加熱手段の加熱量を決定することにより、前記給湯制御手段は前記浴槽に供給される湯の温度を精度良く制御することができる。また、この場合には、前記加熱手段の加熱量を補正するための複雑な処理を行う必要がない。
【００１５】
次に、本発明の第２の態様は、給湯と追焚きとを同時に実行するときに前記加熱手段により与えられて前記給湯熱交換器による水の加熱と前記追焚き熱交換器による湯水の加熱とに使用される第１熱量のデータと、給湯のみを単独で実行するときに前記加熱手段により与えられて前記給湯熱交換器による水の加熱に使用される第２熱量のデータとを記憶した熱量データ記憶手段と、前記給湯管路から所定温度の湯が供給されるように前記加熱量調節手段により前記加熱手段の加熱量を制御し、追焚きと給湯とを同時に実行するときは前記第１熱量に基づいて前記加熱手段の加熱量を決定し、給湯のみを単独で実行するときには前記第２熱量に基づいて前記加熱手段の加熱量を決定する給湯制御手段とを備えた追焚き付き給湯器の改良に関する。
【００１６】
そして、前記給湯管の前記給湯熱交換器により水が加熱される箇所の下流側と前記追焚き管路とを連通して、前記給湯熱交換器により加熱生成された湯を、前記給湯管路から前記追焚き熱交換器により加熱される側の前記追焚き管路を経由して前記浴槽に供給する第１湯張り経路と、前記給湯管路から前記追焚き熱交換器により加熱されない側の前記追焚き管路を経由して前記浴槽に供給する第２湯張り経路とを形成し、前記給湯制御手段は、前記第１湯張り経路と前記第２湯張り経路とを介して前記給湯管路から前記浴槽に湯を供給するときには、前記第１熱量のデータに基づいて前記加熱手段の加熱量を決定することを特徴とする。
【００１７】
かかる本発明において、前記加熱量データ記憶手段には、給湯と追焚きとを同時に実行する場合に応じた前記第１熱量のデータと、給湯のみを単独で実行する場合に応じた前記第２熱量のデータとが記憶されている。そして、上述したように、前記給湯管路から前記第１湯張り経路と前記第２湯張り経路とを介して浴槽に湯を供給するという状況は、前記給湯熱交換器により前記給湯管路内を流れる水が加熱されると共に、前記追焚き熱交換器により前記追焚き管路内を流れる湯水が加熱されるという点で、給湯と追焚きとを同時に実行する状況と共通する。
【００１８】
そのため、前記給湯管路から前記第１湯張り経路と前記第２湯張り経路とを介して前記浴槽に湯を供給する場合に、前記第１熱量のデータに基づいて前記加熱手段の加熱量を決定することにより、前記給湯制御手段は、前記浴槽に供給される湯の温度を精度良く制御することができる。
【００１９】
【発明の実施の形態】
本発明の実施の形態の一例について、図１〜図２を参照して説明する。図１は本発明の追焚き付き給湯器の全体構成図、図２は図１に示した追焚き付き給湯器の制御ブロック図である。
【００２０】
図１を参照して、給湯器１は、給湯管路２により水道管（図示しない）と接続され、追焚き管路３により浴槽４と接続されている。そして、給湯器１は、水道管から給湯管路２により供給される水を所定温度に加熱して給湯する機能と、浴槽４に貯められた湯水を加熱して追焚きする機能と、浴槽４に所定温度の湯を所定量貯める湯張り機能とを有する。
【００２１】
給湯器１はコントローラ４により全体の作動が制御され、コントローラ４からの制御信号に応じて作動する第１バーナ５（本発明の加熱手段に相当する）及び該第１バーナよりも加熱能力が低い第２バーナ６（本発明の加熱手段に相当する）、第１バーナ５と第２バーナ６とにより加熱される追焚き熱交換器７と給湯熱交換器８、水道管から給湯管路２に供給された水の一部を給湯熱交換器８をバイパスさせて給湯熱交換器８から出湯される湯に混入させるバイパス管９、コントローラ４からの制御信号によりバイパス管９の開度を調節するバイパスサーボ１０、給湯管路２とバイパス管９との合流箇所Ｘの下流側の湯の温度を検出して検出信号をコントローラ４に出力する給湯サーミスタ１１、給湯熱交換器８の出口付近の湯の温度を検出して検出信号をコントローラ４に出力する熱交サーミスタ１２、水道から給湯管路２に供給される水の流量を検出して検出信号をコントローラ４に出力する給水流量センサ１３、及び給湯管路２から供給される湯の流量を調節する湯量サーボ１４を備える。
【００２２】
さらに、給湯器１は、給湯管路２と追焚き管路３とを接続する湯張り中継管３０、コントローラ４からの制御信号により作動して湯張り中継管３０を開閉する注湯電磁弁１５、追焚き管路３から湯張り中継管３０への方向の湯の通過を不能とし湯張り中継管３０から追焚き管路３への方向の湯の通過を可能とする逆止弁１６、コントローラ４からの制御信号により作動して浴槽４に貯められた湯水を追焚き管路３内に循環させるポンプ１７、浴槽４から追焚き管路３に供給される湯水の温度（＝浴槽に貯められた湯水の温度）を検出して検出信号をコントローラ４に出力する風呂サーミスタ１８、追焚き管路３内を流れる湯水の有無を検出して検出信号をコントローラ４に出力する風呂水流スイッチ１９、給湯管路２から湯張り中継管３０と追焚き管路３とを経由して浴槽４に供給される湯の流量を検出して検出信号をコントローラ４に出力する湯量センサ２０を備える。
【００２３】
また、給湯器１は、第１バーナ５と第２バーナ６の作動を制御するため、コントローラ４からの制御信号に応じて第１バーナ５と第２バーナ６への燃料ガスの供給と遮断とを切替える元ガス電磁弁２１、コントローラ４からの制御信号に応じて燃料ガスの供給流量を調節するガス比例弁２２、コントローラ４からの制御信号に応じて第１バーナ５への燃料ガスの供給と遮断とを切替える第１ガス電磁弁２３、コントローラ４からの制御信号に応じて第２バーナ６への燃料ガスの供給と遮断とを切替える第２ガス電磁弁２４、コントローラ４からの制御信号に応じて第１バーナ５と第２バーナ６に燃焼用空気を供給する燃焼ファン２５、コントローラ４からの制御信号に応じてイグナイタ２６から印加される高電圧により火花放電を生じる点火プラグ２７、第２バーナ６の燃焼炎の有無を検出して検出信号をコントローラ４に出力するフレームロッド２８、及び給湯熱交換器８内で最も給湯管路２内の温度が高くなる箇所の水の温度を検出して検出信号をコントローラ４に出力する水管サーミスタ２９を備える。
【００２４】
なお、第１ガス電磁弁２３と、第２ガス電磁弁２４と、ガス比例弁２２とにより、本発明の加熱量調節手段が構成される。また、水管サーミスタ２９は、追焚きのみを単独で実行したときに、給湯熱交換器８内に滞留した水が加熱されて異常に昇温されることを防止するために設けられ、水管サーミスタ２７の検出温度が所定の上限温度を超えたときに、コントローラ４は、第１バーナ５と第２バーナ６の燃焼を停止する。
【００２５】
また、コントローラ４は、浴室等に設置されたリモコン４０との間で各種信号の送受信を行う。リモコン４０には、給湯温度、湯張り温度、追焚き時間等を設定するスイッチ類（図示しない）と、給湯温度、湯張り温度等を表示するディスプレイ部（図示しない）とが備えられている。
【００２６】
次に、図２を参照して、コントローラ４は、給湯管路２から目標給湯温度の湯を供給する給湯運転を実行する給湯制御手段５０、浴槽４に貯められた湯を目標追焚き温度まで昇温させる追焚き運転を実行する追焚き制御手段５１、浴槽に目標湯張り温度の湯を目標湯張り量だけ供給する湯張り運転を実行する湯張り制御手段５２、第１バーナ５と第２バーナ６とによる総燃焼量（本発明の加熱手段が発生する熱量に相当する。以下、総バーナ燃焼量という）のうち、給湯熱交換器８側の加熱に使用される熱量の割合を算出する給湯熱量分配比把握手段５３、及び上記給湯運転と湯張り運転を行うために必要なデータが記憶されたデータメモリ５４（本発明の熱効率データ記憶手段の機能を含む）を備える。
【００２７】
給湯制御手段５０は、リモコン４０により設定された目標給湯温度の湯が給湯管路２から供給されるように、第１バーナ５と第２バーナ６の燃焼量を制御する。給湯制御手段５０は、給湯管路２の下流側に接続されたカラン（図示しない）が開けられて、水道管からの給水が開始されたことを水量センサ１３の検出信号から検知すると、燃焼ファン２５を作動させて燃焼用空気の供給を開始し、イグナイタ２６から点火プラグ２７に高電圧を印加して火花放電を生じさせた状態で、元ガス電磁弁２１と第２ガス電磁弁２３とを開弁して第２バーナ６に点火する。
【００２８】
そして、給湯制御手段５０は、第１ガス電磁弁２３と第２ガス電磁弁２４の双方を開弁して第１バーナ５と第２バーナ６とを燃焼させる「大燃焼」、第１ガス電磁弁２３を開弁して第２ガス電磁弁２４を閉弁し、第１バーナ５のみを燃焼させる「中燃焼」、第１電磁弁２３を閉弁して第２電磁弁２４を開弁し、第２バーナ６のみを燃焼させる「小燃焼」という３段階で、第１バーナ５と第２バーナ６とによる総バーナ燃焼量を調節する。また、給湯制御手段５０は、ガス比例弁２２の開度を変更することにより、「大燃焼」、「中燃焼」、「小燃焼」における燃焼量をさらに細かく制御する。
【００２９】
ここで、データメモリ５４には、以下の表１に示したように、「大燃焼」における最大燃焼量（Ｑ大max）と最小燃焼量（Ｑ大min）、「中燃焼」における最大燃焼量（Ｑ中max）と最小燃焼量（Ｑ中min）、及び「小燃焼」における最大燃焼量（Ｑ小max）と最小燃焼量（Ｑ小min）のデータ（実験や計算により求められる）が記憶されている。
【００３０】
【表１】
0003655189.tif 000002
【００３１】
しかし、総バーナ燃焼量（ＱALL）の全てが、給湯熱交換器８内を流れる水や、追焚き熱交換器７内を流れる湯水の加熱に使用されるわけではなく、無駄に消費される燃焼量もある。そこで、データメモリ５４には、以下の表２に示したように、「大燃焼（Ｑ大max，Ｑ大min）」、「中燃焼（Ｑ中max，Ｑ中min）」、「小燃焼（Ｑ小max，Ｑ小min）」における熱効率（η）のデータが記憶されている。
【００３２】
【表２】
0003655189.tif 000003
【００３３】
ここで、熱効率（η）は以下の式（１）により定義される。また、給湯単独運転に対応した熱効率（η単大max〜η単小min）が本発明の第２熱効率のデータに相当し、給湯・追焚き同時運転に対応した熱効率（η同大max〜η同小min）が本発明の第１熱効率のデータに相当する。
【００３４】
【数１】
0003655189.tif 000004
【００３５】
式（１）において、Ｔin1は水道管から給湯熱交換器８に供給される水の温度、Ｔout2は給湯熱交換器８から出湯される湯の温度、Ｗ2は給湯熱交換器８内を通過する水の流量である。一方、Ｔin2は浴槽４内に貯められた湯水の温度、Ｔout2は追焚き熱交換器から出湯される湯水の温度、Ｗ2は追焚き管路３内を通過する湯水の流量である。
【００３６】
熱効率（η）は、給湯運転のみを単独で実行するとき（以下、給湯単独運転という）よりも、給湯運転と追焚き運転を同時に実行するとき（以下、給湯・追焚き同時運転という）の方が若干高くなる。これは、給湯熱交換器８と追焚き熱交換器７における有効な総伝熱面積が、給湯・追焚き同時運転時の方が広くなるからである。
【００３７】
そのため、本実施の形態においては、上記表２に示したように給湯・追焚き同時運転に応じた熱効率（η同大max〜η同小min、本発明の第１熱効率に相当する）のデータと、給湯単独運転に応じた熱効率（η単大max〜η単小min、本発明の第２熱効率に相当する）のデータとが予めデータメモリ５４に記憶されている。そして、給湯制御手段５０は、運転状況（給湯単独運転又は給湯・追焚き同時運転）に応じた熱効率（η）を使用して、総バーナ燃焼量（ＱALL）を決定する。
【００３８】
給湯単独運転時には、総バーナ燃焼量（ＱALL）は給湯熱交換器８内を通過する水を加熱するためにのみ消費される。そして、給湯制御手段５０は、給湯サーミスタ１１の検出温度（ＴH）と、水量センサ１３の検出流量（ＦW）と、給湯熱交換器８において水の加熱に使用される熱量（ＱR）とから、以下の式（２）により、水道管からの給水温度（ＴW）を把握する。なお、熱量（ＱR）は、総バーナ燃焼量（ＱALL）に熱効率（η）を掛けて算出される。
【００３９】
【数２】
0003655189.tif 000005
【００４０】
そして、給湯制御手段５０は、給湯管路２から目標給湯温度（ＴA）の湯を供給するために給湯熱交換器８に与える必要がある熱量（以下、必要給湯熱量（Ｑnh）という）を以下の式（３）により決定する。
【００４１】
【数３】
0003655189.tif 000006
【００４２】
給湯単独運転時には、追焚き熱交換器７側では加熱を要しないため、給湯熱交換器８と追焚き熱交換器７とに与える必要がある総熱量（以下、総必要熱量（Ｑn）という）は、以下の式（４）に示すように必要給湯熱量（Ｑnh）と一致する。
【００４３】
【数４】
0003655189.tif 000007
【００４４】
一方、給湯・追焚き同時運転時には、総バーナ燃焼量（ＱALL）の一部が、追焚き管路３内を循環する湯水を加熱するためにも消費される。そのため、給湯・追焚き同時運転時には、上記式（３）により算出される給湯必要熱量（Ｑnh）に、追焚き熱交換器７で消費される熱量（以下、追焚き消費熱量（Ｑc）という）を加えた熱量を給湯熱交換器８と追焚き熱交換器９に与える必要がある。
【００４５】
そこで、給湯制御手段５０は、給湯・追焚き同時運転時における総必要熱量（Ｑn）を、以下の式（５）により決定する。
【００４６】
【数５】
0003655189.tif 000008
【００４７】
なお、追焚き消費熱量（Ｑc）は、風呂サーミスタ１８により検出される浴槽４に貯められた湯の温度と、ポンプ１７の能力により定まる追焚き管路３内を流れる湯水の流量とにより把握される。
【００４８】
そして、給湯制御手段５０は、このようにして式（４）又は式（５）により決定された総必要熱量（Ｑn）が得られるように、各運転状態（給湯単独運転又は給湯・追焚き同時運転）に応じて表２に示した熱効率（η）のデータを選択して、以下の式（６）により、総バーナ燃焼量（ＱALL）を決定する。これにより、給湯制御手段５０は、各運転状態に応じて総バーナ燃焼量（ＱALL）を精度良く決定することができる。
【００４９】
【数６】
0003655189.tif 000009
【００５０】
そして、このようにして決定したバーナ総燃焼量（ＱALL）が発生するように、給湯制御手段５０は、上述した「大燃焼」，「中燃焼」，「小燃焼」のいずれかを選択し、また、ガス比例弁２２の開度を調節することによって、給湯管路２からの給湯温度が目標給湯温度に保たれるようにフィードフォワード制御を行う。
【００５１】
なお、このフィードフォワード制御により、基本的には給湯管路２からの給湯温度を目標給湯温度と一致させることができるはずであるが、給湯器１の固体差等を考慮して、最終的には給湯サーミスタ１１により検出される実際の給湯温度が目標給湯温度と一致するように、給湯制御手段５０は、フィードバック制御により総バーナ燃焼量（ＱALL）を補正する。
【００５２】
また、給湯単独運転時の「大燃焼」（「中燃焼」，「小燃焼」でも同様）における中間燃焼量Ｑ大ｘ（Ｑ大min＜Ｑ大ｘ＜Ｑ大max）に対する熱効率（η）は、以下の比例計算式（７）によって算出される。なお、給湯・追焚き同時運転時や湯張り運転時の中間燃焼量に対する熱効率（η）も、同様の比例計算によって算出される。
【００５３】
【数７】
0003655189.tif 000010
【００５４】
次に、湯張り運転を行う場合、湯張り制御手段５２は、給湯制御手段５０に対してリモコン４０で設定された目標湯張り温度で給湯を行うことを指示して、注湯電磁弁１５を開弁する。
【００５５】
注湯電磁弁１５が開弁されると、図１を参照して、水道から給湯管路２への水の供給が開始され、給湯熱交換器８で加熱生成された湯が、給湯管路２から湯張り中継管３０を介して追焚き管路３に供給され、追焚き管路３の追焚き熱交換器７を通過する側の第１湯張り経路Ｒ１と、追焚き管路３の追焚き熱交換器７を通過しない側の第２湯張り経路Ｒ２とを経由して浴槽４に供給される。
【００５６】
ここで、給湯サーミスタ１１により検出される給湯管路２からの給湯温度が、目標湯張り温度となるように第１バーナ５と第２バーナ６の燃焼量をフィードバック制御すると、第１湯張り経路Ｒ１を経由して浴槽４に供給される湯は追焚き熱交換器７でさらに加熱されるため、浴槽４に貯められる湯の温度が目標湯張り温度よりも高くなってしまう。
【００５７】
そこで、給湯制御手段５０は、湯張り運転時にはフィードバック制御は行わず、フィードフォワード制御のみを行って給湯温度を制御する。そして、給湯制御手段５０は、上記式（６）により総バーナ燃焼量（ＱALL）を決定するときに、上記表２に示したように、給湯・追焚き同時運転に対応した熱効率（η同大max〜η同小min）を使用する。
【００５８】
ここで、湯張り運転時には、給湯熱交換器８により給湯管路２内を流れる水が加熱されると共に、第２湯張り経路Ｒ２においては追焚き熱交換器７により追焚き管路３内を流れる湯水が加熱されるという状況となる。そして、この状況は、給湯・追焚き同時運転時における、給湯熱交換器８により給湯管路２内を流れる水が加熱されると共に、追焚き熱交換器７によりポンプ１７で循環される浴槽４に貯まった湯水が加熱される状況と同様である。
【００５９】
そのため、湯張り運転時の熱効率（η）は、給湯・追焚き同時運転時の熱効率（η）と同様になると考えられる。そこで、給湯制御手段５０は、給湯・追焚き同時運転時に応じた熱効率（η）を使用して、湯張り運転時の第１バーナ５と第２バーナ２の燃焼量を制御することによって、浴槽４に供給される湯の温度が目標温度精度となるように精度良く制御することができる。
【００６０】
なお、本実施の形態では、上述した表１に示したように、各運転状況に応じた熱効率（η）をデータメモリ５４に記憶するようにしたが、以下の表３に示したように、総バーナ燃焼量のうち給湯熱交換器８による水の加熱と追焚き熱交換器７による湯水の加熱とに実際に使用される熱量のデータをデータメモリ５４（この場合は本発明の熱量データ記憶手段の機能を含む）に記憶し、該熱量データを使用して、第１バーナ５と第２バーナ６の燃焼量を決定するようにしてもよい。
【００６１】
【表３】
0003655189.tif 000011
【００６２】
この場合には、上記式（４）または式（５）により決定した総必要熱量（Ｑn）に応じた総バーナ燃焼量（ＱALL）を表３から求める。例えば、給湯単独運転時に式（４）により決定された総必要熱量（Ｑn）がＱ単大minであったときには、対応する総バーナ燃焼量（ＱALL）として、Ｑ大minが選択される。なお、給湯単独運転に対応した熱量（Ｑ単大max〜Ｑ単小min）が本発明の第１熱量のデータに相当し、給湯・追焚き同時運転に対応した熱量（Ｑ同大max〜Ｑ小min）が本発明の第２熱量のデータに相当する。
【００６３】
また、給湯単独運転時の「大燃焼」（「中燃焼」，「小燃焼」でも同様）における中間熱量Ｑ単大ｘ（Ｑ単大min＜Ｑ単大ｘ＜Ｑ単大max）に対する総バーナ燃焼量（ＱALL）は、以下の比例計算式（８）によって算出される。なお、給湯・追焚き同時運転時や湯張り運転時の中間熱量に対する総バーナ燃焼量（ＱALL）も、同様の比例計算によって算出される。
【００６４】
【数８】
0003655189.tif 000012
【００６５】
この場合には、例えば給湯器１の固体ごとに実際の熱量を測定して熱量データを設定することにより、より精度よく湯張り温度を制御することができる。
【００６６】
また、本実施の形態では、本発明の加熱手段としてガスを燃料とするバーナを示したが、灯油を燃料とするバーナを用いてもよく、また、電熱線により熱交換を行う構成としてもよい。
【図面の簡単な説明】
【図１】本発明の追焚き付き給湯器の全体構成図。
【図２】図１に示した追焚き付き給湯器の制御ブロック図。
【符号の説明】
１…追焚き付き給湯器、２…給湯管路、３…追焚き管路、４…浴槽、５…第１バーナ、６…第２バーナ、７…追焚き熱交換器、８…給湯熱交換器、９…バイパス管、１０…バイパスサーボ、１１…給湯サーミスタ、１２…熱交サーミスタ、１３…水量センサ、１４…湯量サーボ、１５…注湯電磁弁、１６…逆止弁、１７…ポンプ、１８…風呂サーミスタ、１９…風呂水流スイッチ、２０…湯量センサ
【図１】
0003655189.tif 000013
【図２】
0003655189.tif 000014